(57)【要約】【目的】  加圧によって上向き筆記でインキ切れすることなく、また、初期筆記でとぎれやすいインキが加圧で支援されて筆記可能となるノック式ボールペンを安価に提供可能とする。【構成】  ノック部を前後動させることによって、それと連動する係止体を軸筒内部で前後退位置に係止し、その係止体の前端から前方に延出して装着筒が設けられ、また係止体前端の前方に、内孔部に突状のシール部を有し、その後方に伸縮自在な変形部と後端に当接部が形成されたシール体が筒体に固定されて、装着筒前方外周にシール部が密接してシール部の前後で軸筒内とシール体内が気密状に分断され、またインキ収容管の後端と係止体の前端が通気するように設けられて、インキ収容管が装着筒に嵌着されると共に、係止体がリターンスプリングによって軸筒の後方に附勢され、ノックした時にシール体の変形部内の空間部が縮小されることによってインキ後端が加圧される。【選択図】        図１
2005271328.tif 000002
【特許請求の範囲】
【請求項１】
前端にボールペンのチップと後方にインキ収容管を備え、インキ収容管にインキが充填されてなるボールペンリフィールと、そのボールペンリフィールを搭載して軸筒前方の前端孔から筆記先端部を出没可能とするノック式ボールペンに於いて、
軸筒の後端から突出したノック部を前後動させることによって、それと連動する係止体が軸筒内部で前後退位置に係止可能となされ、その係止体の前端から前方に延出して装着筒が設けられ、また係止体前端の前方に、筒状で略前端の内孔部に突状のシール部を有し、その後方に伸縮自在な変形部と更にその後端に当接部が形成されたシール体がその前端部で軸筒内または軸筒内に設けられた筒体に固定されて、上記装着筒がシール部を貫通すると共に装着筒前方外周にシール部が密接してシール部の前後で軸筒内とシール体内が気密状に分断され、またインキ収容管の後端と係止体の前端が通気するように設けられて、ボールペンリフィールのインキ収容管が前記装着筒に嵌着されると共に、ボールペンリフィールと装着筒および係止体がリターンスプリングによって軸筒の後方に附勢され、ノック部をノックして係止体を前進位置に係止する時にシール体の後端と係止体の前端とが気密状に当接した状態から係止体が更に前進して、上記変形部内の空間部が縮小されることによってボールペンリフィールのインキ後端が加圧されるように構成されたことを特徴とするノック式ボールペン。
【請求項２】
軸筒に設けられたカム筒部内にカム部及びリブを有したノック棒と回転子が軸推移自在に嵌挿されてなる請求項１に記載のノック式ボールペン。
【請求項３】
軸筒内に筒体が設けられたものであって、筒体は軸筒に対して回動のみ自在に設けられてなる請求項１に記載のノック式ボールペン。
【請求項４】
係止体の軸心に別体で装着筒が設けられてなる請求項１に記載のノック式ボールペン。
【発明の詳細な説明】
【技術分野】
【０００１】
本発明は、ボールペンリフィールを搭載して、ノックによって筆記先端部を軸先より突出可能とすると共に、ノック時の加圧操作によってインキのチップ側への流動性が支援されるように構成されたノック式のボールペンに関する。
【背景技術】
【０００２】
【特許文献１】特開２００１−１５０８６５
【特許文献２】実開平２−１０８０８７
【特許文献３】特開平８−０７２４７９
【特許文献４】実公昭４９−３５６４３  （特許文献１）  軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。しかしながら、このものは構造が複雑でややコスト高となる欠点がある。  （特許文献２〜４）  また、後端をノックして軸先から筆記先端部を出没自在に係止する、所謂ノック式ボールペンは公知である。
【発明の開示】
【発明が解決しようとする課題】
【０００３】
本発明は、上向き筆記でインキ切れすることなく、また、初期筆記でインキがとぎれやすいインキを使用したボールペン、インキに種々のフィラーが混入されたボールペン、紙面に筆記した筆跡が消しゴムでの擦過により容易に消去できるインキが充填されたボールペンなど、ノックによって筆記先端部を軸先より突出可能とすると共に、ノック時の加圧作用で支援して筆記可能とするノック式のボールペンを安価に提供可能とする。
【課題を解決するための手段】
【０００４】
本発明は、上記課題を達成するために以下の構成を有する。
請求項１に記載の発明に係るノック式ボールペンは、前端にボールペンのチップと後方にインキ収容管を備え、インキ収容管にインキが充填されてなるボールペンリフィールと、そのボールペンリフィールを搭載して軸筒前方の前端孔から筆記先端部を出没可能とするノック式ボールペンに於いて、軸筒の後端から突出したノック部を前後動させることによって、それと連動する係止体が軸筒内部で前後退位置に係止可能となされ、その係止体の前端から前方に延出して装着筒が設けられ、また係止体前端の前方に、筒状で略前端の内孔部に突状のシール部を有し、その後方に伸縮自在な変形部と更にその後端に当接部が形成されたシール体がその前端部で軸筒内または軸筒内に設けられた筒体に固定されて、上記装着筒がシール部を貫通すると共に装着筒前方外周にシール部が密接してシール部の前後で軸筒内とシール体内が気密状に分断され、またインキ収容管の後端と係止体の前端が通気するように設けられて、ボールペンリフィールのインキ収容管が前記装着筒に嵌着されると共に、ボールペンリフィールと装着筒および係止体がリターンスプリングによって軸筒の後方に附勢され、ノック部をノックして係止体を前進位置に係止する時にシール体の後端と係止体の前端とが気密状に当接した状態から係止体が更に前進して、上記変形部内の空間部が縮小されることによってボールペンリフィールのインキ後端が加圧されるように構成されてなる。
【０００５】
請求項２に記載の発明に係るノック式ボールペンは、請求項１に記載のノック式ボールペンに於いて、軸筒に設けられたカム筒部内にカム部及びリブを有したノック棒と回転子が軸推移自在に嵌挿されてなる。
【０００６】
請求項３に記載の発明に係るノック式ボールペンは、請求項１に記載のノック式ボールペンに於いて、軸筒内に筒体が設けられたものであって、筒体は軸筒に対して回動のみ自在に設けられてなる。
【０００７】
請求項４に記載の発明に係るノック式ボールペンは、請求項１に記載のノック式ボールペンに於いて、係止体の軸心に別体で装着筒が設けられてなる。
【発明の効果】
【０００８】
本発明は、上向き筆記でインキ切れすることなく、また、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、ノックによって筆記先端部を軸先より突出可能とすると共に、ノック時の加圧作用で支援して筆記可能とするノック式のボールペンが安価に提供可能となる。
【発明を実施するための最良の形態】
【０００９】
図１及び図２は本発明の実施例を示している。
先ず、本発明に使用されるボールペンリフィールは、初期筆記でインキがとぎれやすいインキを使用したボールペン、インキに種々のフィラーが混入されたボールペン、紙面に筆記した筆跡が消しゴムでの擦過により容易に消去できるインキが充填されたボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【００１０】
またボールペンリフィールは、インキの仕様やインキ収容管の太さ等によってチップ先端部の耐乾燥性、インキの直流及び逆流防止の対策が重要となる。乾燥しやすいインキ、低粘度のインキは耐乾燥性やインキの直流を防止するために先端ボールをチップのボール抱持部の内縁に密接させる手段が必要であり、インキの後端にインキの乾燥防止や逆流防止のフォロアが必要となる。また、インキ収容部が太い場合には、チップの後端とインキ収容部との間にインキの逆流を防止する弁機構が必要となる。また、加圧機構を必要とするインキに対してはインキが逆流して、弁機構部やノック機構部にインキ等が付着するのを防止するためにもフォロアが必要である。
【００１１】
図１に示すように、軸筒１の後方にノック機構部が配設され、軸筒１の後端孔から突出するノック棒３（ノック部）を前後動させることによってボールペンリフィール８の筆記先端部が軸筒１先方に着脱自在に止着された口先部２の前端孔２ａから出没可能となされている。
【００１２】
軸筒１の内孔部略後端には段部１ｄが形成され、その前部内壁にカムリブ部１ｂとカム溝部１ｃが放射状に交互に形成されたカム筒部１ａが形成されている。またカム溝部１ｃは、径方向に深いカム溝と浅いカム溝が交互に形成され、リブの先端と浅いカム溝の先端に向けて傾斜面が形成されている。実施例では軸筒１の内壁にカム筒部１ａが一体となって形成されているが別体となして軸筒内に固定して設けることもできる。（カム筒部の構造はよく知られたものであり、詳細な説明は省略する。）
【００１３】
ノック棒３は、後端が閉塞した筒状で、前方部外周の所要箇所に上記カム筒部１ａのカム溝部１ｃに嵌挿するリブ３ａが形成され、先端には回転子４の山形状のカム部４ｂと迎合するカム部３ｂが形成されている。尚、実施例に於いてはカム部３ｂとリブ３ａが分けて形成されているが、無論一体カム部として形成することもできる。
【００１４】
また回転子４（係止体）は、やはり後端が閉塞した筒状で、後端軸部４ｄが上記ノック棒３の開口孔に遊嵌し、略中央部外周の所要箇所に上記カム筒部１ａのカム溝部１ｃの割付位置に対応するリブ状でその先端に傾斜状の突部を有したカム部４ｂと、その間に山形状のカム部が円周状に形成されている。このカム部４ｂと山形状のカム部も、上記ノック棒の一体カム部と対応させて一体カム部として形成することもできる。
以上述べた、カム筒部、ノック棒、回転子で示されるノック機構部の構造はよく知られたものであり、詳細な説明は省略する。また他のノック機構部の形態は多様であり、それぞれよく知られたものである。
【００１５】
以上により、カム筒部１ａ内にそのカム溝部１ｃと迎合するリブ３ａを有したノック棒３とリブ４ａを有した回転子４が軸推移自在に嵌挿される。
【００１６】
回転子４の前端部４ｃの前方にシール体６が配設される。シール体６はゴム等の弾性体からなる筒状体で、略前端の内孔部所要箇所に突状のシール部６ａを有し、その後方に伸縮自在な変形部６ｂと更にその後端に当接部６ｃが形成され、またシール体６の略前端の外周部に凹溝６ｄが形成されてなる。尚、変形部６ｂは蛇腹形状や薄肉形状など伸縮可能な形状が形成される。
またシール体６の前方に筒体５が固定されている。この筒体５略後端の内孔に周状の凸部５ａが形成されており、この凸部５ａにシール体６の凹溝６ｄが嵌着してシール体６が固定されている。またシール体６後端の当接部６ｃは適宜隙間をあけて回転子４の前端と対接している。尚、固定手段はこの手段に限定されないものである。
【００１７】
装着筒７は、パイプ状で、上記シール体６の内周部を貫通させて後方部が上記回転子４の開口孔に挿着され、パイプ状後端孔にゴム等の弾性体からなるリング状のシール栓９が固定された状態でパイプ状後端が回転子４の開口孔後端に当接されて回転子４に固定され、また、パイプ状前方部が回転子４前端の前方に延出し、シール体６の前方にテーパー状の拡開部７ａが位置される。また回転子４の開口孔周面には、シール栓９の後端から装着筒７の外面に沿って回転子４の前端に抜ける通気路１１が形成されている。
また、装着筒７のパイプ状内孔にボールペンリフィール８が挿着されるが、その際にボールペンリフィール８が脱落しないようにパイプ状内孔内壁にボールペンリフィール８の外周に着脱自在に係合する突条部等が必要により設けられる。
【００１８】
シール体６がその前端部で軸筒１内または軸筒内に設けられた筒体５に固定されて、上記装着筒７がシール部６ａを貫通すると共に、装着筒７前方外周にシール部６ａが密接してシール部の前後で軸筒内とシール体内が気密状に分断され、またインキ収容管の後端と係止体の前端が通気するように設けられて、ボールペンリフィールのインキ収容管が前記装着筒に嵌着される。また、回転子４の前方で、軸筒１の内孔部に筒体６が固定される。  
【００１９】
実施例に於いては、ボールペンリフィール８のインキ収容管にクリンプ８ｂが形成され、そのクリンプの前端と軸筒１の前端に螺合等の手段で取付けられた口先部２の内段部２ｂとの間リターンスプリング１０が敷設されて、装着筒７、回転子４，ノック棒３が軸筒１の後方側に附勢されている。尚、装着筒の内孔にボールペンリフィールが係合されるように設けられた場合には、口先部の内段部と装着筒との間にリターンスプリングを敷設することもできる。その場合には、ボールペンリフィールにクリンプなどの段部を設ける必要はない。
【００２０】
（作用）
上記の実施例に基き作用を以下に説明する。まず、ノック部であるノック棒３の後端をノックしてノック棒３を前進させると回転子４が回動して前進位置に位置決めされ、ボールペンリフィール９のチップ９ａが口先部２の前端孔２ａから突出して筆記状態となる。  そのとき、回転子４の前端部４ｅの内面がシール体６後端の当接部６ｃに密接した状態で前進し、且つシール体６のシール部６ａの内周面を挿着筒７の外周面が密接した状態で前進するので、シール体６の変形部６ｂの空間部１２が縮小されることによって、内圧が上がりインキ収容管の後端孔に通じる通気路１１を通じてボールペンリフィールの後端孔が加圧される。その加圧により、上向き筆記してもインキが逆流傾向とならずインキ切れが防止される。また、落下衝撃やインキの流動性の悪さ等に起因して先端ボールの周面からインキが離れてしまい連続的なインキの流出がとぎれるのを防止する作用ととぎれた時に回復する作用となる。
【００２１】
またこの状態から再びノックすると回転子４が回動して後退位置になりチップ８ａの先端が口先部の前端孔２ａから没入する。この際にボールペンリフィール８と回転子４が装着筒７を介して一体に保持されているので、ボールペンリフィール８の筆記先端部は回転子４と共に突出、没入を繰り返す。
尚、ボールペンリフィール８の筆記先端部が没入した状態に於いては、当接部６ｃの後端を開放して外気と連通された状態になすことができる。
【００２２】
（その他の実施形態）
上述した実施例に於いて、装着筒と回転子を一体に設けることも可能である。その場合、装着筒の内孔部にボールペンリフィールのインキ収容管と気密状に密接するシール部を形成し、更に、そのシール部の後方で、且つ、シール体のシール部の後方で回転子の前端より前方となる位置の装着筒の側面に通気孔を形成すればよい。（図示せず）
シール栓９、シール体６は、通常シリコーンゴムやその他ゴム等の弾性体、軟質の合成樹脂成形品などが使用される。また必要により、シール体６は装着筒７との摺動抵抗を軽減するためにシール体に潤滑剤を混入したり、塗布することが効果的である。
また、筒体５は、軸筒１と一体または別体として軸筒に固定して設けることができる。  また更に、筒体５は、軸体１に対し回動自在に取付けることもできる。ノック操作によって回転子４は回動しながら前後動するので、回転子の前端部内面とシール体の当接部との間、装着筒とシール体のシール部との間に回動方向に対して摩擦抵抗が作用する。その際、軸筒に対し筒体を回動自在に取付けることによって回転子と共に筒体が回動して、回転子を後方に附勢するリターンスプリングが弱い状態であっても回転子の回動が阻害されないですむ。（スプリングが強すぎると、回転子の回動に問題はなくなるが、衝撃による筆記性能への悪影響やノック操作の感触などが悪くなる。）
【図面の簡単な説明】
【００２３】
【図１】実施例であるノック式のボールペンの全体を示す縦断面図で、ボールペンリフィールの筆記先端部が口先部内に収納された状態を示している。
【図２】実施例であるノック式のボールペンの全体を示す縦断面図で、ボールペンリフィールの筆記先端部が口先部の前端孔から突出した状態を示している。
【符号の説明】
【００２４】
１        軸筒
１ａ      カム筒部
１ｂ      カムリブ部
１ｃ      カム溝部
１ｄ      段部
２        口先部
２ａ      前端孔
２ｂ      内段部
３        ノック棒
３ａ      リブ
３ｂ      カム部
４        回転子
４ａ      リブ
４ｂ      カム部
４ｃ      前端部
４ｄ      後端軸部
５        筒体
５ａ      凸部
６        シール体
６ａ      シール部
６ｂ      変形部
６ｃ      当接部
７        装着筒
７ａ      拡開部
８        ボールペンリフィール
８ａ      チップ
８ｂ      クリンプ
８ｃ      段部
９        シール栓
１０      リターンスプリング
１１      通気路
１２      空間部
【図１】
2005271328.tif 000003
【図２】
2005271328.tif 000004